(57)【要約】【課題】測定管の内径面に設けられたミゾが容易に形成でき、製造コストを低減できる安価な電磁流量計を提供する。【解決手段】測定管の内径面に設けられライニング体を係止するミゾを有する電磁流量計において、前記測定管の内径に測定管の両端側よりそれぞれ挿入され一端側が前記ミゾの前記測定管の開口端側側面を形成するリング状の挿入管と、この挿入管に設けられこの挿入管が前記ミゾを形成する位置に配置されるように前記挿入管の管軸方向の位置を規制するストッパー手段とを具備したことを特徴とする電磁流量計である。【選択図】        図１
2004354279.tif 000002
【特許請求の範囲】
【請求項１】
測定管の内径面に設けられライニング体を係止するミゾを有する電磁流量計において、
前記測定管の内径に測定管の両端側よりそれぞれ挿入され一端側が前記ミゾの前記測定管の開口端側側面を形成するリング状の挿入管と、
この挿入管に設けられこの挿入管が前記ミゾを形成する位置に配置されるように前記挿入管の管軸方向の位置を規制するストッパー手段と
を具備したことを特徴とする電磁流量計。
【請求項２】
前記ミゾはアリミゾであること
を特徴とする請求項１記載の電磁流量計。
【請求項３】
前記ストッパー手段は、前記挿入管の一端側に設けられ前記測定管の内径部分に突き当たる段状の段部を有すること
を特徴とする請求項１又は請求項２記載の電磁流量計。
【請求項４】
前記ストッパー手段は、前記挿入管の他端側に設けられ前記測定管の内径部分に突き当たる鍔状の鍔部を有すること
を特徴とする請求項１又は請求項２記載の電磁流量計。
【請求項５】
前記挿入管は、前記測定管に圧入固定されたこと
を特徴とする請求項１乃至請求項４の何れかに記載の電磁流量計。
【請求項６】
前記挿入管は、前記測定管に溶接固定されたこと
を特徴とする請求項１乃至請求項４の何れかに記載の電磁流量計。
【発明の詳細な説明】
【０００１】
【発明の属する技術分野】
本発明は、測定管の内径面に設けられたミゾが容易に形成でき、製造コストを低減できる安価な電磁流量計に関するものである。
【０００２】
【従来の技術】
図３は、従来より一般に使用されている従来例の構成説明図で、例えば、ニチアス社発行、「耐食ライニング配管材  寸法表」カタログ、９３年９月改訂版、Ｐ１７、「ボールバルブ  ＰＦＡ」の説明図  に示されている（例えば、非特許文献１参照。）。
【０００３】
図３において、ライニング体を係止するアリミゾ２は、測定管１の内径面１１に沿ってリング状に設けられている。
測定管１の内面のライニングには、フッ素樹脂がライニングが多く使用される。
【０００４】
測定管１、例えば、ステンレス製の測定管の内面に、例えば、フッ素樹脂がライニングされた構成でにおいては、フッ素樹脂は、測定管１の内面に接着させるのは困難であるため、一般的には、測定管１の内面にアリミゾを形成させライニング成型時、アリミゾ内にフッ素樹脂を流し込んで、一体成型してライニングを係止して内径を形成させるのが一般的である。
【０００５】
電磁流量計の場合、ライニング内径の変化が測定誤差となって現れるために、ライニング内径の安定化は重要である。
このようなアリミゾ２を形成させる方法としては、例えば、旋削によって削り仕上る方法が取られる。
【０００６】
【非特許文献１】
ニチアス社発行、「耐食ライニング配管材  寸法表」カタログ、
９３年９月改訂版、Ｐ１７、「ボールバルブ  ＰＦＡ」の説明図。
【０００７】
【発明が解決しようとする課題】
しかしながら、このような装置においては、以下の間題点がある。
測定管１の入口より刃物を挿入してアリミゾ２を旋削削りするが、内径の大きい物は容易であるが、例えば、内径１５ｍｍ程度以下の細い内径の場合、刃物の動きが制約され、目視しにくいため、高度の熟練、長時間の加工時間を要していた。
【０００８】
本発明の目的は、上記の課題を解決するもので、測定管の内径面に設けられたミゾが容易に形成でき、製造コストを低減できる安価な電磁流量計を提供することにある。
【０００９】
【課題を解決するための手段】
このような目的を達成するために、本発明では、請求項１記載の電磁流量計においては、
測定管の内径面に設けられライニング体を係止するミゾを有する電磁流量計において、
前記測定管の内径に測定管の両端側よりそれぞれ挿入され一端側が前記ミゾの前記測定管の開口端側側面を形成するリング状の挿入管と、この挿入管に設けられこの挿入管が前記ミゾを形成する位置に配置されるように前記挿入管の管軸方向の位置を規制するストッパー手段とを具備したことを特徴とする。
【００１０】
本発明の請求項２記載の電磁流量計においては、請求項１記載の電磁流量計において、
前記ミゾはアリミゾであることを特徴とする。
【００１１】
本発明の請求項３記載の電磁流量計においては、請求項１又は請求項２記載の電磁流量計において、
前記ストッパー手段は、前記挿入管の一端側に設けられ前記測定管の内径部分に突き当たる段状の段部を有することを特徴とする。
【００１２】
本発明の請求項４記載の電磁流量計においては、請求項１又は請求項２記載の電磁流量計において、
前記ストッパー手段は、前記挿入管の他端側に設けられ前記測定管の内径部分に突き当たる鍔状の鍔部を有することを特徴とする。
【００１３】
本発明の請求項５記載の電磁流量計においては、請求項１乃至請求項３の何れかに記載の電磁流量計において、
前記挿入管は、前記測定管に圧入固定されたことを特徴とする。
【００１４】
本発明の請求項５記載の電磁流量計においては、請求項１乃至請求項３の何れかに記載の電磁流量計において、
前記挿入管は、前記測定管に溶接固定されたことを特徴とする。
【００１５】
【発明の実施の形態】
以下図面を用いて本発明を詳しく説明する。
図１は本発明の一実施例の要部構成説明図である。
図において、図３と同一記号の構成は同一機能を表す。
以下、図３と相違部分のみ説明する。
【００１６】
挿入管３１は、測定管１の内径に、測定管１の両端側よりそれぞれ挿入され、一端側がアリミゾの測定管開口側側面２１を形成しリング状をなす。
この場合は、挿入管３１は、測定管１に圧入固定されている。
【００１７】
なお、、挿入管３１は、測定管１に溶接固定されても良い。
ストッパー手段３２は、この挿入管３１に設けられ、挿入管３１がアリミゾ２を形成する位置に丁度配置されるように、測定管の内径部分１１に突き当たり、挿入管３１の管軸方向の位置を規制する。
【００１８】
この場合は、ストッパー手段３２は、挿入管３１の一端側に設けられ、測定管の内径部分１１に突き当たる段状の段部よりなる。
【００１９】
以上の構成において、測定管１の両開口側から、測定管１の内径に、挿入管３１を圧入する。
そして、段部３２を測定管の内径部分１１に突き当てる。
【００２０】
この結果、比較的口径の小さい測定管１において、旋削仕上構造の製作のような高度な熟練を必要としないで、加工の手間が解消解消でき、アリミゾ２が形成された測定管１が容易に製作できる電磁流量計が得られる。
【００２１】
挿入管３１は肉厚が薄くてコンパクトな形状に出来るので、無駄な切屑も生ぜず、安価に作れるので、製造コストを低減できる電磁流量計が得られる。
【００２２】
挿入管３１は、測定管１に圧入固定されたので、組立てが容易な電磁流量計が得られる。
また、挿入管３１は、測定管１に溶接固定されれば、固定が確実な電磁流量計が得られる。
【００２３】
図３は本発明の他の実施例の要部構成説明である。
本実施例においては、ストッパー手段は、挿入管４１の他端側に設けられ、測定管の内径部分１１に突き当たる鍔状の鍔部４１１を有すること
【００２４】
この結果、測定管１の開口端近くに鍔部４１１が有るので、挿入管４１がアリミゾ２を形成する位置に丁度配置されたかの確認が容易な電磁流量計が得られる。
【００２５】
測定管１を高圧に耐えうる構造としたい場合に、ストッパー手段は鍔状の鍔部４１１としたので、アリミゾ２を形成しながら、測定管１は厚く出来るため、高圧の測定流体に好適な電磁流量計が得られる。
挿入管４１は、測定管１の内圧強度に寄与せず、測定管１だけが、内圧強度に寄与するからである。
【００２６】
なお、前述の実施例においては、アリミゾ２に付いて、説明したが、これに限ることはなく、リング状に設けられたみぞであれば良く、要するに、ライニング体を係止するミゾであれば良い。
【００２７】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００２８】
【発明の効果】
以上説明したように、本発明の請求項１によれば、次のような効果がある。
比較的口径の小さい測定管において、旋削仕上構造の製作のような高度な熟練を必要としないで、加工の手間が解消解消でき、ミゾが形成された測定管１が容易に製作できる電磁流量計が得られる。
【００２９】
本発明の請求項２によれば、次のような効果がある。
ミゾはアリミゾであるので、比較的口径の小さい測定管において、更に、旋削仕上構造の製作のような高度な熟練を必要としないで、加工の手間が解消解消でき、アリミゾが形成された測定管１が容易に製作できる電磁流量計が得られる。
【００３０】
本発明の請求項３によれば、次のような効果がある。
ストッパー手段は、挿入管の一端側に設けられ測定管の内径部分に突き当たる段状の段部を有するので、ミゾの測定管開口側側面を形成すると同時に段部が形成できるので、安価な電磁流量計が得られる。
挿入管は肉厚が薄くてコンパクトな形状に出来るので、無駄な切屑も生ぜず、安価に作れるので、製造コストを低減できる電磁流量計が得られる。
【００３１】
本発明の請求項４によれば、次のような効果がある。
ストッパー手段は、挿入管の他端側に設けられ、測定管の内径部分に突き当たる鍔状の鍔部を有するので、測定管の開口端近くに鍔部が有るので、挿入管がアリミゾを形成する位置に丁度配置されたかの確認が容易な電磁流量計が得られる。
測定管を高圧に耐えうる構造としたい場合に、ストッパー手段は鍔状の鍔部であるので、ミゾを形成しながら、測定管は厚く出来るため、高圧の測定流体に好適な電磁流量計が得られる。
挿入管は、測定管の内圧強度に寄与せず、測定管だけが、内圧強度に寄与するからである。
【００３２】
本発明の請求項４によれば、次のような効果がある。
挿入管は、測定管に圧入固定されたので、組立てが容易な電磁流量計が得られる。
【００３３】
本発明の請求項５によれば、次のような効果がある。
挿入管は、測定管に溶接固定されたので、固定が確実な電磁流量計が得られる。
【００３４】
従って、本発明によれば、測定管の内径面に設けられたミゾが容易に形成でき、製造コストを低減できる安価な電磁流量計を実現することが出来る。
【図面の簡単な説明】
【図１】本発明の一実施例の要部構成説明図である。
【図２】本発明の他の実施例の要部構成説明である。
【図３】従来より一般に使用されている従来例の要部構成説明図である。
【符号の説明】
１      測定管
１１    測定管１の内径面
２      アリミゾ
２１    アリミゾの測定管開口側側面
３１    挿入管
３２    ストッパー手段
４１    挿入管
４１１  鍔部
【図１】
2004354279.tif 000003
【図２】
2004354279.tif 000004
【図３】
2004354279.tif 000005